(57)【要約】希釈された化学物質を搬送するシステムは圧力及び重力で供給するリザーバ（４９，１１９，１５５，２０３，２１９，３０９，５９９）の複数の実施形態を備える。該リザーバは、区画された収容空間を支持し、搬送するために提供される。いくつかの場合において、該空間は分割して或いは一体的に提供される。そして濃縮液をリザーバ（４９，１１９，１５５，２０３，２１９，３０９，５９９）へ供給する。両構造ともに、濃縮された化学物質を貯蔵する容器を備える。そして、無駄となる化学物質及び時間を発生させないように計量する。そして、作業者と濃縮状態の化学物質或いは栄養素との接触を最小限化する。ポンプ・アセンブリによる供給手段が好ましい。ポンプ・アセンブリの遮断操作は分離された構造或いは一体化された構造に適用可能である。濃縮液密閉容器システムは、ユーザが密閉容器を再利用することを可能とし、更に、直接的に濃縮液を取扱う必要性を取り除くものである。
2005523010.tif 000002
【特許請求の範囲】
【請求項１】
開口部（１５，１０３，１５３，２２３，３０５）を備える本体部であって、該開口部がメイン・リザーバ（４９，１１９，１５５，２０３，２１９，３０９，５９９）へ繋がり、該メイン・リザーバが濃縮液を希釈した混合液と希釈剤を収容する本体部と、
密閉容器を備える濃縮液密閉容器（１１１，１１３，３０３，５０７，６５３，７１１）からなり、
該密閉容器は、本体部によって支持されるとともに、定量供給装置（２１，１１５，１６３，１８１，２１１，３５５，５１１，５７５）を備え、
該定量供給装置は前記密閉容器と連通するとともに選択的に方向付けられ、前記濃縮液を、前記開口部（１５，１０３，１５３，２２３，３０５）を介して、前記メイン・リザーバ（４９，１１９，１５５，２０３，２１９，３０９，５９９）へ定量供給することを特徴とするアプリケータ。
【請求項２】
前記メイン・リザーバ（４９，１１９，１５５，２０３，２１９，３０９，５９９）が希釈された混合液を、重力影響下で、チューブを介して搬送することを特徴とする請求項１記載のアプリケータ。
【請求項３】
前記メイン・リザーバ（４９，１１９，１５５，２０３，２１９，３０９，５９９）が更に上部リザーバ部（３０７）を備えるとともに、広がったベース・リザーバ部（３０９）を備え、該ベース・リザーバ部が安定性をもたらすことを特徴とする請求項１記載のアプリケータ。
【請求項４】
前記濃縮液密閉容器（１１１，１１３，３０３，５０７，６５３，７１１）が、前記本体部から選択的に取外し可能な容器を備えることを特徴とする請求項１記載のアプリケータ。
【請求項５】
前記容器が前記本体部によって支持される際に、前記本体部の外面に対し、前記容器の外面が略連続的であることを特徴とする請求項４記載のアプリケータ。
【請求項６】
前記容器が少なくとも１つの透明な光散乱性物質からなり、該物質が、前記容器内の液位を外部へ表示することを特徴とする請求項４記載のアプリケータ。
【請求項７】
前記容器が色彩を施され、複数の前記容器の使用を容易とし、異なる濃縮液を収容可能とし、前記色彩によって、容易に前記濃縮液を確認可能であることを特徴とする請求項４記載のアプリケータ。
【請求項８】
前記定量供給装置（２１，１１５，１６３，１８１，２１１，３５５，５１１，５７５）が導水管（２３，１１７，１６７，２１７，３５７，５１７）を備え、前記アプリケータが更に導水管ガイド部（３３９，６６１）を更に備え、該導水管ガイド部（３３９，６６１）が前記導水管（２３，１１７，１６７，２１７，３５７，５１７）を囲うとともに意図しない作動から該導水管を保護することを特徴とする請求項１記載のアプリケータ。
【請求項９】
前記導水管ガイド部が更に前記導水管（２３，１１７，１６７，２１７，３５７，５１７）から前記ハウジング内の開口部（１５，１０３，１５３，２２３，３０５）内へ濃縮液を案内する傾斜部を更に備えることを特徴とする請求項８記載のアプリケータ。
【請求項１０】
前記導水管ガイド（３３９，６６１）が更にフィッティングを備え、
該フィッティングは前記本体部の前記開口部（１５，１０３，１５３，２２３，３０５）の縁上に合致する面を備えることを特徴とする請求項９記載のアプリケータ。
【請求項１１】
前記導水管ガイド（３３９，６６１）は更に閉流路を上方へ延出させる部材を備え、
該閉流路は側部開口部を備え、
該側部開口部は導水管（２３，１１７，１６７，２１７，３５７，５１７）を受け入れるとともに前記導水管（２３，１１７，１６７，２１７，３５７，５１７）が前記側部開口部の境界内において手動で動作可能とされることを特徴とする請求項９記載のアプリケータ。
【請求項１２】
前記メイン・リザーバ（４９，１１９，１５５，２０３，２１９，３０９，５９９）が閉止可能且つ加圧可能であり、前記希釈された混合液を圧力下で搬送可能であることを特徴とする請求項１記載のアプリケータ。
【請求項１３】
前記濃縮液密閉容器（１１１，１１３，３０３，５０７，６５３，７１１）が、前記本体部から選択的に取外し可能であることを特徴とする請求項１２記載のアプリケータ。
【請求項１４】
前記容器が少なくとも凹部（４０５，４０７）及び凸部（４０５，４０７）のうち少なくとも１つを備え、前記本体部が凹部（４０５，４０７）、凸部（４０５，４０７）のうち他方を備え、前記容器の前記凹部及び凸部のうち少なくとも１つが、前記本体部に対して前記濃縮液容器の支持を補足的に補助することを特徴とする請求項１３記載のアプリケータ。
【請求項１５】
前記容器が、円筒状本体部を備える円筒容器を備え、
該円筒状本体部は小さな半径を備えるランド部（５５９）を支持し、該ランド部は第１開口部を囲む第１ねじ部（５５７）を備えるボスを支持し、
ネック・ユニット（５０９）は、第１開口部端及び第２開口部端を備え、該第２開口部端内部には周方向にねじ部が形成され、該ねじ部は前記第１ねじ部と螺合し、前記ネック・ユニットの前記第１端部はポンプ装置（５７５）に取付けられることを特徴とする請求項１３記載のアプリケータ。
【請求項１６】
前記アプリケータが更に薄く平坦なシール部材（６２１）を備え、該シール部材（６２１）は前記円筒容器の第１開口端と前記ネック・ユニット（５０９）の第１開口端のうち少なくとも１つと合わさることを特徴とする請求項１５記載のアプリケータ。
【請求項１７】
前記定量供給装置（２１，１１５，１６３，１８１，２１１，３５５，５１１，５７５）が更に、ポンプ装置を備え、
該ポンプ装置がメイン・ハウジングを有し、
該メイン・ハウジングは第１端部及び第２端部を備え、
前記第１端部はプランジャを摺動可能に受け入れ、
前記第２端部はピックアップ・チューブ（５８１）を支持し、
該ピックアップ・チューブは前記円筒容器の第１開口部端と前記ネック・ユニット（５０９）の前記第１開口部端の少なくとも１つを通り、延出されることを特徴とする請求項１６記載のアプリケータ。
【請求項１８】
前記容器が前記本体部によって支持されるときに、前記本体部の外面後方に部分的に位置する外面を備えることを特徴とする請求項１３記載のアプリケータ。
【請求項１９】
流域構造部（５２１）を更に備え、
該流域構造部が前記本体部に支持されるとともに前記濃縮液を通過させることを特徴とする請求項１３記載のアプリケータ。
【請求項２０】
前記定量供給装置（２１，１１５，１６３，１８１，２１１，３５５，５１１，５７５）が手動的に操作されるポンプであることを特徴とする請求項１記載のアプリケータ。
【発明の詳細な説明】
【技術分野】
【０００１】
本発明は、化学薬品のアプリケータに関する。さらに詳細には、周囲からの加圧状態且つ気密状態の下、操作されるアプリケータに関する。前記アプリケータは、植物栄養剤及び処理剤の運搬のために用いられる。これは、濃縮液を希釈した形態で応用される時に、必要となる程度より、さらに濃縮された形態で運搬できるので、商業的に利用可能である。
【背景技術】
【０００２】
植物管理の分野において、労働者は、日中の作業を通して、植物に多様な化学薬品を使用することを余儀なくされる。より悪い状況においては、労働者は、必要とされる化学薬品及び栄養剤の濃縮形態を供給され、その濃縮栄養剤の適量を量りコンテナに入れ、そして、希釈するための希釈液、一般的には水を加え、最終的に必要な濃度の栄養剤を調製する必要がある。そして、濃縮液供給コンテナは閉じられ、片付けられる。
【発明の開示】
【発明が解決しようとする課題】
【０００３】
所要時間の点から見て、労働者は、濃縮化学薬品の注入、測量、或は定量供給さらに、濃縮化学薬品のコンテナを取り出し、運搬し、そして元に戻すことに、非常に多くの時間を要する。さらに、その工程は、時間の観点から言って、時間を浪費するだけでなく、労働者にとって不清潔であり、長期にわたって、多大な流出物を生むこととなる。さらに、前記濃縮液が、人工過密地帯に位置する場合、さらに多くの問題が発生する。濃縮液が作業場、ホースビブ或は実用的なシンクに残される際、不利点は多数存在する。実質的に、ユーザは、濃縮液が残された場所に戻る必要があり、もし、余分な時間を費やさなければ、濃縮液が残された場所が汚染されることとなる。第２に、もし第３者が前記コンテナ及び流出物と接触を持つことになれば、化学薬品が別の追加の場所に残されたことに対しての責任問題が発生する。
【０００４】
流出物、即ち、浪費された濃縮液は、さらに悪影響を生じる。ペーパータオル或は切れ端の清掃の際に生じる廃棄物は、より早く汚染を促し、最も重要な点として、労働者が、濃縮形態の化学薬品及び栄養剤と接触する機会を増やす。多くの化学薬品及び栄養剤は、労働者にとって有害であり、該化学薬品及び栄養剤が濃縮されていれば、なおさらである。流出物が直接労働者の皮膚につくようなことがあれば、極めて危険な問題であり、その危険度は、皮膚についた化学薬品の種類及び濃度に依存する。運送もまた問題の１つである。労働者が濃縮された化学薬品或は栄養剤の１つ或は２つのコンテナを持ち、該化学薬品或は栄養剤のほとんどが1日中使用される際、メイン・アプリケータと濃縮液コンテナを別々に操作する必要がある場合、さらなる労働者の注意力、時間及び危険が生じる。また、労働者の注意が他の方へ向いた時、或は、労働者の注意が散漫になった時、危険の可能性が高くなる。特に、近づいた労働者を傷つけるような植物の周りにおいては、危険の可能性が高くなる。
【０００５】
必要なことは、労働者から心配を解消するシステムである。前記心配とは、最も頻繁に使用される濃縮化学薬品及び栄養剤に関する取り扱い及び流出物についてである。必要とされるシステムは、濃縮化学薬品を容易に調整し、補充することを含み、労働者の取り扱い及びそれに付随する流出物の悪影響を排除するためのシステムである。前記システムの最終目的は、測量、混合及び希釈に要する時間を減らし、労働者に対する安全性を向上することである。同時に、その取り扱いを容易にすることにより、日々植物を育てる人々のための障害を取り除くことである。前記システムは、濃縮化学薬品及び栄養剤の不慮の流出物を防ぐためにもまた、容易に混合でき、それに時間を費やすことができる。
【課題を解決するための手段】
【０００６】
本発明のシステムは、収容空間の支持部の提供を含む。前記収容空間は、重力送り散水装置、或は加圧アプリケータ上に存在し、濃縮化学薬品のコンテナのための保管及び定量供給のための測定法を提供する。同時に、該システムは、廃棄物及び化学薬品の調整時間を削減し、労働者と濃縮状態にある化学薬品或は栄養剤との接触を最小限に抑え、日々の植物の育成を促進し、容易にする。これは、植物が育成され水やりされる規則性を増加させることで、植物の育成に付随して起こる欠点及び悩みの種を減らすことにより成し得る。前記の機構は、商業的労働者、或は家庭用栽培者の両者に、或は、趣味の栽培者に有益である。さらに、本発明は、濃縮化学物質を取り扱いに慎重を要するような場所に持ち込む際、危険を減らすことができる。前記取り扱いに慎重を要するような場所として、例えば、前記濃縮化学物質が放出されることが最小限に抑えられることが望まれる場所、即ち、ホテルのロビー、レストラン、公共の中庭、或いは同類の周辺地域が挙げられる。商業的労働者について言えば、本発明は、労働者が作業する際に、彼ら或いは彼女らの責務を減少させる。これは、本発明が、化学薬品を子どもから遠ざける、或いは濃縮化学薬品の追加の混合場所を減少させる、或いは排除することにより成し得る。
【０００７】
通常の使用において、濃縮化学薬品、或いは栄養剤コンテナは、装置の入り口の周辺部付近に備わる。前記装置とは、一般的に、水やり装置或いはアプリケータである。初期の空の状態から、濃縮化学薬品、或いは栄養剤コンテナ・アプリケータの上部にあるディスペンサは作動する。所定の量、或いはその倍数の濃縮化学薬品、或いは栄養剤は該装置の開口部に定量供給される。次に、一般的に、流圧下で、水が開口部へ加えられる。そして、定量供給された化学薬品或いは栄養剤は、水或いは他の液体混合物が勢いよく重力下で導入されることにより混合される。
【０００８】
濃縮化学薬品、或いは栄養剤が、余分に加えられることを防ぐような構造が備わっている。定量供給された濃縮化学薬品、或いは栄養剤を封鎖するための一般的な装置上に前記構造を含む。或いは、封鎖部材は、直接的に濃縮化学薬品或いは栄養剤コンテナの上に、或いは、メイン・アプリケータ・ハウジングと連結した構造上に位置する。前記メイン・アプリケータ・ハウジングは、濃縮化学薬品或いは栄養剤コンテナを支持する。変更例においては、急速濃縮液リザーバはキャッチビブと連結し、全化学薬品が、直接、該リザーバに加えられ、或いは、廃液用の該ビブの中で集められた後、メイン・リザーバへ入るようにする。
【０００９】
濃縮化学薬品或いは栄養剤コンテナとメイン・アプリケータの一体化の方法は、重要な目的を達成するために、形状に応じて操作される。前記目的とは、提供される空間内にコンテナ・サイズを合わせるように一体化することにより、一般的に共存できる化学薬品の使用を可能にする或いは促進することを含む。例えば、一緒に使用不可能な化学薬品は、支持空間内に物理的に合わさらないようなコンテナ内に入れられる。
【００１０】
コンテナ支持部及びホールディング空間は、既存の或いは、既存する可能性がある形状及び設計を確保するように構成される。いくつかの場合において、収容されるコンテナのサイズは、高さ７．５インチ、８．５インチから１０．５インチである。収容されるコンテナは、円形、円柱或いは湾曲の縁を有する直角で構成されてもよい。一般的な大きいほうの幅寸法は、３．５インチ、４インチ、４．５インチ或いは５．０インチである。また、一般的な小さい方の幅寸法は、１．５インチ、２．０インチから２．５インチである。液体コンテナの容積は、８オンスから１６オンス、さらにほぼ４０オンスである。
【００１１】
アプリケータ装置が支持空間を有することも予期される。前記支持空間は、特に、濃縮化学薬品或いは栄養剤コンテナと合わせられる。また、アプリケータの構造の全体の容積が、濃縮化学薬品或いは栄養剤コンテナの濃縮化学薬品或いは栄養剤の供給能力に合わせられる。これは、濃縮液コンテナとアプリケータが調和するさらなる能力を発達させる。いくつかの場合において、収容空間は、本質的に、最大限に広げられ、拡張された濃縮液コンテナをアプリケータに提供することが可能となる。これは、同時に、アプリケータの使用を高めることが可能となる。前記アプリケータは、単一、或いは２つ、３つの濃縮液コンテナの周りに確立されている。
【発明を実施するための最良の形態】
【００１２】
本発明の、構成、構造、及び操作は、添付した図面とともに、以下の詳細な記載において、さらに最適に示される。
本発明の説明及び操作は、まず、図１を参照して、最適に記述される。図１は、重力型アプリケータ１１の上面図である。前記重力型アプリケータ１１は、ハウジング１３を有し、該ハウジング１３は、開口部１５を有している。前記開口部は、それを強調するために通常より大きく表し、第１コンテナ収容空間１９内の第１コンテナ１７による一般的な通路を示している。また、そのコンテナ収容空間１９内の第１コンテナ１７の安定性を高めるために、他の構造が提供される。しかしながら、第１コンテナ１７は、大部分が囲まれ、支持されている場所においては、更なる構造は、必要ない。第１コンテナ１７は、一般的に植物栄養剤或は化学薬品で満たされ、該植物栄養剤或は化学薬品は、殺虫剤、除草剤、窒素飼料、或は、一般的には液体の状態の濃縮化学薬品を含む。上部からコンテナ１７を見下ろした場合、コンテナ１７は、台形型であるか、或は、幾分頂部が平面で切断された三角形の形状を有しており、延出導水管２３を有したポンプ・アプリケータ・アセンブリ２１を含む。前記延出導水管２３は、好ましくは、開口部の中央部にまで及ぶ。これは、コンテナ１７から混合される場所である重力型アプリケータ１１の主用リザーバの中へ加えられた液体の重力沈殿を確立し、また容易にするものである。任意の「Ｃ」形状のロック・クリップ２４は、さらに、濃縮液が加えられることを防ぐために、延出導水管２３を上部に位置するように停止するために備わる。前記クリップ２４は、ポンプ・アプリケータ・アセンブリ２１に緩んだ状態で取り付けられる。前記延出導水管２３が、濃縮液の望ましい量を確実に重力沈殿させるのに十分なほど前記開口部まで及ぶならば、中央開口部１５は、通常より小さくてもよい。
【００１３】
さらに、好ましくは、ポンプ・アプリケータ・アセンブリ２１は、既知の或は所定の定量供給能力を有しており、一般的には、ポンプ・シャフトが垂直に完全に下まで押された回数により、中央開口部１３を通る栄養剤或は他の化学薬品を正確に定量供給することが可能である。この機能は、ユーザが、定量供給がうまくいくように必要量を推測することが可能となり、リザーバ補充段階を２回までに減少させる。前記リザーバ補充段階とは、即ち、後に溶剤、キャリア或は他の溶出液、一般的には水が、リザーバ内への導入されるポンプ・アプリケータ・アセンブリ２１を操作することである。前記リザーバは、中央開口部１５と連結している。
【００１４】
第１コンテナ収容空間１９は、第１コンテナ１７の方向を決定し、第１コンテナ１７は、１つの方向で挿入されることとなる。前記１つの方向とは、ポンプ・アプリケータ・アセンブリ２１が、中央開口部１５に最も接近することとなる。この物理的な位置づけに加えて、延出導水管２３が、中央開口部１５まで及ぶ必要がある。もし、延出導水管２３は、第１コンテナ１７によって、位置づけられる場合（延出導水管２３が開口部上に存在するときのみ、該延出導水管２３が下に沈むことを可能とする上方に向かって延長している突起部によって位置づけられる場合、或は、第１コンテナ１７から、ポンプ・アセンブリ２１を通り、そして延出導水管２３へと続く位置決めによって、延出導水管２３が第１コンテナ１７との位置関係が決定される場合）、機構が採用される。前記機構とは、延出導水管２３が中央開口部１５上とは違う場所に存在する時におけるポンプ操作を防ぐものである。さらに、そのような機構は、流出物を防ぎ、また、ポンプ機構の望まれない或は不慮の作動を防ぐことに役立つ。一方で、第１コンテナ１７からの液体が、定量供給されずに中央開口部１５へ入れられる間、延出導水管２３の回転は、ロック解除機構を提供する。
【００１５】
第２コンテナ収容空間２７内に存在する第２コンテナ２５もまた示される。第２コンテナ２５及び第２コンテナ収容空間２７の両方の形状は、丸型或は円筒状である。前記形状は、おそらく第２コンテナ収容空間２７及び第２コンテナ２５を通して位置決めが可能ではない。しかしながら、図１においては、簡略化のため示していないが、位置決めは、アプリケータ１１ハウジング１３から延長する構造を通して行われる。
【００１６】
図１で示す他の構造は、流量チューブ３１及び傾斜した支持部３３を含む。前記傾斜した支持部３３は、流量チューブ３１及びメイン・ハウジング１３の間に位置する。流量チューブ３１の先端において、ストレーナ及び流体散布器３５は、回転軸を有し、開口部端３７付近に搭載される。前記ストレーナ及び流体散布器３５は、流体散布を可能にし、また、その流量を便利なように制限する。回転軸取付部材は、流体散布器３５が選択的に利用され、また、他の流体散布器３５と交換可能である。前記流体散布器３５は、大小の孔部領域を有する。図１の上面図は、前記各構造が明瞭に表れるように、アプリケータ１１の上部に及ぶハンドル構造を省略している。
【００１７】
図２は、アプリケータ１１の側面図であり、一体型のハンドル４１を示す。前記ハンドル４１は、重力型アプリケータ１１の後部側面４３から、上方に向かい、中央開口部１５を通り、さらに重力型アプリケータ１１の上部分へ向かい、前側面４５付近まで延設する。図２が示すように、第１コンテナ１７の図は、最も目立つように示される。第１コンテナ収容空間１９は、解放部及びポケットとして表されている。前記解放部及びポケットは、第１コンテナが取り出されたり、置き換えられるための空間であり、リザーバ４９内に存在する。前記リザーバ４９は、水位５１を含む可能性がある。第１コンテナ収容空間１９が、リザーバ４９領域内に侵入できる程度は、必要とされるリザーバ４９のサイズ、形状、及び能力に依存する。前記能力とは、１つ或はそれ以上の第１及び第２コンテナ１７及び２５がリザーバ４９の空間に侵入させる、或はアプリケータ１１の外側に横付けされることにより延長されることである。
【００１８】
図２は、ポケット領域５３を示し、該ポケット領域５３には、情報プラカードを挿入することができる。前記情報プラカードは、第１コンテナ１７及び第２コンテナ２５内の、１つ或はそれ以上の濃縮化学薬品或は栄養剤の情報を含み、重力型アプリケータ１１の期待される使用形態における重力型アプリケータ１１の関連情報もまた含まれる。ポケット領域５３の物理的構造は、平面表面上に、或は、ラベルが取り付けられる領域が窪んでいる場所において、取付可能なポケットを含むことができる。
【００１９】
図２はまた、流体散布器３５の動き、及び流量チューブ３１上の回転軸連結部５５を示す。図２が示すように、流体散布器３５が回転軸に沿って、保管位置、或は、開口端３７を覆う位置へと回転される。ユーザは、流体散布器３５の位置及び流体散布器３５の使用を自由自在に操作することができる。これは、適用する植物の種類によって、即ち、該植物の根元に大量にまかれる必要であるか、或は、上部でじょうろのように散布するべきかにより決まる。
【００２０】
図３は、図２の線３で囲んだ部分を拡大したものであり、形状の更なる詳細および、その使用のさらなる詳細を示す。流体散布器３５は、側面から見ると、つまみ５７及び離れて配置された１組の中央ホックを有する。前記中央ホック５９は、流量チューブ３１の内側の縁とかみ合う。図４は、図３の線４−４で選択された図であり、流体散布器３５が閉じられた状態の流体散布器３５の上部を示したものである。図４が示すように、流体散布器３５は、孔５９の配列を有し、流量チューブ３１から液体が分散することを可能にする。さらに、図４は、１対のホルダー構造６１を示す。前記ホルダー構造６１は、流体散布器３５が邪魔にならないように上部の位置に固定される際、つまみ５７とかみ合わせるようにして使用される。
【００２１】
図５は、加圧可能アプリケータ１０１の上面図である。前記加圧可能アプリケータ１０１は、特徴的に、比較的厚い加圧可能本体を有する。前記加圧可能本体は、中央開口部１０３を有しており、中央開口部１０３は、ポンプユニット（図示せず）との取り付けを促進するためにねじ切り加工されている。湾曲開口部１０５は、上部レール１０７を含み、いくらかの個々の濃縮化学薬品或は栄養剤コンテナを支持する。前記個々の濃縮化学薬品或は栄養剤コンテナとは、例えば、第１濃縮液コンテナ１１１或は第２濃縮液コンテナ１１３である。第１及び第２濃縮液コンテナ１１１及び１１３のそれぞれは、ポンプ・アセンブリ１１５を有し、該ポンプ・アセンブリ１１５は、延出導水管１１７を有している。延出導水管の先端は、開口部１０３にまで及び、コンテナ１１１及び１１３からの濃縮液が、リザーバ１１９の入口部分である開口部１０３の中へ直接加えられることを可能にする。加圧可能アプリケータ１０１の上部分には、水きりカラー１２１及び注ぎ口１２３を有し、希釈溶液の移し変えに役立つ。前記希釈溶液は、加圧可能アプリケータ１０１の清掃時には取り除かれる。
【００２２】
加圧可能アプリケータ１０１には、好ましくは、ホース１２５が固定されている。前記ホース１２５は、一般的には、開口部１０３の後に続くリザーバとの定期的な行き来に用いられる。多くの加圧噴霧器において、リザーバ全体が加圧されると同時に、ホースの先端に搭載された杖状のもので、流量制御が行われる。そして、本発明の加圧可能アプリケータ１０１は、この様式の形状で表される。圧力解放バルブ１２７は、圧力の発散のために設けられ、ポンプユニット（図示せず）が、リザーバ１９からの液体を排出することなく、加圧可能アプリケータ１０１から取り除かれることを可能にする。
【００２３】
図６は、一体化された加圧可能アプリケータ１５１の上面図であり、前記加圧可能アプリケータ１５１が、特徴的に比較的厚い加圧可能本体を有していることを示す。前記加圧可能本体は、リザーバ１５５へと続く中央開口部１５３を有する。前記中央開口部１５３は、ポンプユニット（図示せず）との取り付けを促進するために、ねじ切り加工されている。湾曲領域１５７は、液体濃縮液リザーバの一般的な領域を決定する。前記液体濃縮液リザーバの一般的な領域とは、一体化された加圧可能アプリケータ１５１の本体の中に確立される。ブロック・レール１６１は、ポンプ・アセンブリ１６３と連携して配置される。前記ポンプ・アセンブリ１６３は、ポンプ押し下げハンドル１６５及び延出導水管１６７を有する。前記延出導水管１６７は、頂部先端１６９を有し、該頂部先端１６９は、リザーバ１５５上に位置する。上位の位置において、ポンプ押し下げハンドル１６５が、上位の位置において可動されない場合、延出導水管１６７は、ブロック・レール１６１の高さより上方にある。もし、延出導水管１６７が頂部端１６９がリザーバ１５５或は注ぎ口１７３付近の水きりカラー１７１上に位置しないで、他の方向を向いている場合、ポンプ・アセンブリ１６３は可動されない。前記延出導水管１６７は、ポンプ・アセンブリ１６３を含むほとんどのポンプ・アセンブリがそうであるように一般的に３６０°回転可能である。短小リング・チェーン１７７もまた、図６に示されており、該短小リング・チェーンは、ブロック・レール１６１及びじょうご１７９と連結している。濃縮液を収容するための領域１５７がアプリケータ１５１と一体化される。じょうご１７９は、物質がこぼれだすことを減らすことに役立つ。図５において既に示した構造もまた図６で示される。即ち、ホース１２５及び解放バルブ１２７が示される。
【００２４】
図７は、一体型加圧可能アプリケータ１５１の側面図であり、該一体型加圧可能アプリケータがポンプ・ユニット１８１を有し、該ポンプ・ユニット１８１は、突出ハンドル１８３を有していることを示す。特徴的に、ハンドル１８３は、ポンプ・ユニット１８１に対して、固定され、ハンドル１８３が、全体的な一体型加圧可能アプリケータユニット１５１を運ぶために利用されうる。ブロック・レール１６１は、水きりカラー１７１の延長線上に存在することが明らかにわかる。
【００２５】
図６において湾曲１５７として示された領域は、事実、内部で区別されるリザーバ領域１５７としてI図７で示される。破線の障壁線１８５は、一般的に領域１５７で表される内側濃縮液リザーバの境界を表す。境界１８５は、濃縮化学薬品或は栄養剤を収容するための内部の区別された領域との物理的な区別を提供する。前記濃縮化学薬品或は栄養剤は、ポンプ・アセンブリ１６３が確立される場所の上方にある開口部を通して加えられる。濃縮液の収容容積の実際の領域の形状は、内部の加圧可能リザーバ１５５の必要性と形状に依存する。図７で示したように、延出導水管１６７が右方向へ振り動かされ、ブロック・レール１６１を超えるような時、該延出導水管は、押し下げられない。じょうご１７９は、それが紛失されないように搭載され、ポンプ・アセンブリ１６３の下側にある開口部にまで届くように位置する。濃縮液リザーバで占められる領域１５７の中へ通じる開口部を生じさせるようにポンプ・アセンブリ１６３が取り除かれる。ポケット領域１９１もまた、図７に示され、該ポケット領域１９１は、位置決め指示或はラベルをアプリケータ１５１に取り付けるために役立つ。中央開口部１５３の方向に応じて、ポンプ・アセンブリ１６３のキャップ部分が位置決めされることが可能である限り、ブロック・レール１６１は、ポンプ・アセンブリ１６３から提供される。
【００２６】
図８は、一体型加圧可能アプリケータ２０１の斜視図であり、該一体型加圧可能アプリケータ２０１が一体型のリザーバ２０３を有していることを示す。前記一体型のリザーバ２０３は、一体型加圧可能アプリケータ２０１の上部の高くに位置するか、或は一体型加圧可能アプリケータ２０１の肩部２０５の延長部分に位置する。一体型のリザーバ２０３の高さは、図７で示したポンプのロック解除機構の代わりの重力安全システムをもたらす。ポンプ・ユニット２１１の機能を無効するよりむしろ、縁取りするような重力ビブ２１３は、キャップ２１５を直接的に取り囲む。即ち導水管２１７の位置に関わらず、濃縮液は、リザーバ２１９に加えられる。導水管２１７がリザーバ２１９上に直接的に位置するとき、濃縮液は、リザーバ２１９内に直接的に注がれる。導水管２１７が他の場所であっても、すべて濃縮液は、縁取りするような重力ビブ２１３上に注がれ、そこからリザーバ２１９内へ入れられる。洗浄段階において、前記縁取りするような重力ビブ２１３を洗浄するために、洗浄剤でそれが満たされることとなる。それゆえ、前記縁取りするような重力ビブ２１３上に存在する余分な濃縮液もすべてリザーバ２１９に入ることとなる。
【００２７】
上記の如く、ホース１２５が示され、さらにまた、排水カラー２２５を伴い再度示される開口部２２３には、螺子山２２１が示されている。さらに、本体部２２７のアプリケータ２０１へ取り付けられる一体型リザーバ２０３の取り付けられ方は、必要性及び利便性に応じて適宜設定される。代替的には、体型に合わせられた重力螺子付きコック２１３及び排水カラー２２５を、アプリケータ２０１のネック２２９の周りに着脱自在となるように取り外し可能なユニットとして形成することができる。このアプリケータは、急速変更完全型アプリケータ・セットを有していることが好ましい。
【００２８】
図１０を参照するに、一体型濃縮液コンテナ３０３を有する重力型アプリケータ３０１の第２実施形態の左側後方からの斜視図が示されている。一体型濃縮液コンテナ３０３は、図１０で示す如く、より緩やかな湾曲の外側表面と、収容空間に適合する湾曲する後側面及び底部側面を有しており、一体型濃縮液コンテナ３０３を、中間物を利用して取り付けて包含しているので、図１０に示されるものは完全型ではない。
【００２９】
本発明が有する一面に、本発明に於ける多種多様なアプリケータが特に利用される場所である異なる色彩を有する様々な種類の一体型濃縮液コンテナ３０３を提供することができる。このことによって、使用者が、特に当業者ではない人物が、一体型濃縮液コンテナ３０３の適切な使用を容易に維持することができる。一体型濃縮液コンテナ３０３は、内側にある液体レベルを示す充分な光を転送する透明又は分光性プラスチックから形成されている。タグが使用され、特に、一体型濃縮液コンテナ３０３のネックの上に取り付けられている。このタグは、濃縮を分散するための指示を含む濃度、警告又は特別な指示を示している。
【００３０】
重力型アプリケータ３０１の大部分は、一体型濃縮液コンテナ３０３を有し、このコンテナには水を典型的に且つ主に含む植物栄養素溶液を充填するためのリザーバが形成されている。重力型アプリケータ３０１は、延設されたベース・リザーバ部分３０９の上方に配される上部リザーバ部分３０７へ導入することができる大きな頂部開口部３０５を有する大部分が中空部として形成されている。延設されたベース・リザーバ部分３０９は、重力型アプリケータ３０１がこの構造の上方部分の近傍位置から不注意に弾かれたり又はたたかれたりした時にさえ、こぼれ出る機会を減じることができるように、重力型アプリケータ３０１を安定させるより広範囲でより長いベースを提供している。上部リザーバ部分３０７と延設されたベース・リザーバ部分３０９の間の段階的分割ゾーン３１１は、重力型アプリケータ３０１の後正面から延設される傾斜棚である。分割ゾーン３１１にある棚は、アプリケーション３０１の中間位置程度に於いてより急勾配に設定される移行とされる。後方位置程度に於いて、分割ゾーン３１１は、大部分の水平棚位置程度を形成し、湾曲把持部３１５の接合部近傍に於けるかかと部分３１３と接合する。この領域は、昇降手掛により、重力型アプリケータ３０１が使用者の頭部上方に持ち上げられる間、植物に餌を与えることを可能にする。また、使用者は、使用者の指が段階的分割ゾーン３１１に於ける湾曲把持部３１５の側部に位置することにより、使用者の手によって後方かかと部分３１３を把持する。
【００３１】
ベース・リザーバ部分３０９は、アプリケータ３０１を前方に傾斜させた際にある程度の前方への負荷を提供するために、重力型アプリケータ３０１の前方へ且つ上方へ向かって緩やかに湾曲している。この機構は、かかと部分３１３から延設される湾曲把持部３１５と結合され、大きな頂上開口部３０５の頂上部を横切り、さらに、導水管部分３１７のベースを形成する一体型分割ゾーン３１１の前方端部の前方へと結合されている。湾曲把持部３１５の前方端部の直下方の領域は、より平坦に且つ上方に配される分割ゾーン３１１の前方部分の下方に、延設されるベース・リザーバ部分３０９の上方傾斜部分である。このことによって、前方へ傾斜時に於ける重力の中央部が移動すること、アプリケータ３０１が傾斜した場合に、大きな開口部３０５から大量の液体が流出することの両方のために、延設されるベース・リザーバ部分３０９の延設に影響を与えることになる。このことにより、使用者は、アプリケータ３０１を完全に又は著しく傾斜させても、こぼれ出る心配をする必要がない。
【００３２】
導水管部分３１７は、延出結合部３１９へ延設され、また、じょうろ口アセンブリ３２５と付随的な嵌合を補助する円筒型部３２３へ延設されている。このじょうろ口アセンブリ３２５は、典型的に反対側に配される一対の装置として、反対側に方向付けられる一対のヒンジ結合３２９を補助する円筒型本体部３２７を含んでいる。一対の反対方向に方向付けられるヒンジ結合３３１は、外側に湾曲する多孔部材が存在するじょうろ口カバー３３３と一体化されている。このことによって、じょうろ口カバー３３３が、「バタフライ・スタイルbutterfly style」である開口状態位置へ折畳まれることができる。この開口状態位置は、使用者が、じょうろ口機能が無効及び開口状態で流出を止めることを望む状態である。
【００３３】
湾曲把持部３１５は、アプリケータ３０１の後方に於いて、付加的な貯蔵収容力を提供するための中空状であることが好ましく、分割ゾーン３１１に隣接するアプリケータ３０１の前方も同様である。分割ゾーン３１１に隣接するアプリケータ３０１の前方も、変位空気の源として機能するので、アプリケータ３０１を直立させた際に、調整される空気の全てが、じょうろ口カバー３３３を介して引張られて戻される必要がない。
【００３４】
大きな頂上開口部３０５の隣接には、垂直機構が導水管ガイド３３９として示されている。この構成は、大きな頂上開口部３０５の縁３４１の近隣に且つ周囲に位置して、好ましくは固定式に取り付けられる。アプリケータ３０１の物質又は、縁３４１の周囲にあるフック付けを提供する場所に於ける物質自体をリベット３４３で留めることができる。
【００３５】
示される導水管ガイドは、物質が、図１０に於いて完全型として示されていないポンプの底部３４５と、リベット３４３を延設することを介するフィッティング３４９の表面３４７上を流動することを許容するように設計されている。
【００３６】
ポンプの一方の側面及び図１０に示されていないポンプの全体位置程度に於いて、一対の長い垂直凸部３５１、３５３が、一方の側面に配され、導水管３５７を有する手動のポンプ３５５から僅かにずれて配されている。導水管３５７の部分は、凸部３５１の後に隠されている。手動ポンプ３５５は、一体型濃縮液コンテナ３０３の頂上に螺子式に取り付けられる。
【００３７】
一体型濃縮液コンテナ３０３が、収容空間詳細は後述する内に配置されており、導水管３５７が、一体型濃縮液コンテナ３０３の適合される配置に応じて、一対の凸部３５１、３５３の間の位置に同時に適合される。
【００３８】
一度配置されると、一体型濃縮液コンテナ３０３及び凸部３５１、３５３間の位置は、導水管３５７又は手動ポンプ３５５が他方へと自由に変更することができない。手動ポンプ３５５は、使用者の意図的な方法で手動ポンプ３５５の頂上を押圧することによって、上方及び下方へ移動させることができる。しかしながら、手動ポンプ３５５及び導水管３５７は、凸部３５１、３５３による保護により、如何なる下方へ打ち付ける行動に対しても保護されることとなる。
【００３９】
手動ポンプ３５５及び導水管３５７の構造が上方に向かって負荷されるバネであり、これらの構造は、図１０に示される如き上方位置へと押し返されている。バネによる負荷が無い場合、手動ポンプ３５５及び導水管３５７が、下方移動に対する更なる保護を提供するために、下方位置に残存することになる。しかしながら、商業的に入手可能な大部分のポンプ・アセンブリは、上方へポンプの準備ができる方向を仮定するように負荷されるバネを有している。このため、手動ポンプ３５５及び導水管３５７が上方に位置する場合には、凸部３５１、３５３は、意図しない行動に対する補償範囲を提供する特別な価値を有している。
【００４０】
更に、凸部３５１、３５３は、導水管３５７をライン内及び大きな頂上開口部３０５方向へ直接的に維持する「固定」ガイドを提供する。
【００４１】
凸部３５１、３５３間からの導水管３５７の合理的な破壊しない除去は、アプリケータ３０１から一体型濃縮液コンテナ３０３の移動によって効果的に達成される。逆に言うと、図１０で示される如く、一体型濃縮液コンテナは、凸部３５１、３５３間でない導水管３５７を伴う異なる方向に負荷されている。このため、アプリケータ３０１内に一体型濃縮液コンテナ３０３を負荷する合理的な手入れが実行される。凸部３５１、３５３間の空間への張り出し入り口によって、アプリケータ３０１内への一体型濃縮液の負荷がなされる場合の導水管３５７を案内することができる。
【００４２】
計測の観点から、凸部３５１、３５３により提供される保護システムを使用することは、異なる計測の可能性を伴う手動ポンプ３５５の使用を促進する一方で、意図しない行動を防止することができる。ある一定のネックサイズ又はプランジャ領域（plunger area）の計測のために、限界の計測が、手動ポンプ３５５が移動する垂直高さを制限することによって典型的に設定される。少量の定流量が、移動通路の頂上から底部へ１／４インチ分だけ押さえつけられる手動ポンプ３５５を提供することによって達成される。この場合、手動ポンプは凸部３５１、３５３間の下部領域内にのみ存在することになる。凸部３５１、３５５は張り出し開口部を有しているので、凸部３５１、３５３上方の導水管３５７の高い透明度は必要とされていない。あらゆる操作される高さを有する手動ポンプ３５５と類似する手動ポンプが、凸部３５１、３５３と結合されて使用されている。
【００４３】
幅広い多様なフィッティング又は手動ポンプ３５５のベース・カラー３５９のための著しい透明度を提供するシステムとして、２つの凸部３５１、３５３の優位性が示される手動ポンプ３５５のベース・カラー３５９が示されている。更に、固定力に関して、湾曲把持部３１５が２つの分割ゾーン３１１に隣接して取り付けられるだけでなく、アプリケータ３０１のより前方端部の取付アーム３６１によって、さらに、アプリケータ３０１のより後方の取付アーム３６３によって取り付けられている。取付アーム３６１，３６３は、上部リザーバ部分３０７の上方面側へ湾曲把持部３１５を取り付ける。好ましくは、要求されるに関わらず、湾曲把持部３１５及びこの把持部と上部リザーバとの通路の存在及び中空状の性質は、分割ゾーン３１１に隣接して取り付けられる２つのポイントで延設されるベース・リザーバ部分３０９と同様に設けられる。このことによって、湾曲把持部３１５が、アプリケータ３０１が傾斜した際に、上部リザーバ部分３０７及び延設されるベース・リザーバ部分３０９のより上位となる液位での付加的な水を保持することができるようになる。基本的に、延設された収容部にある延出する水は、安定性と結合されることになる。加えて、変位空気が、特に上部リザーバ部分３０７との接合から湾曲把持部３１５を介して直ちに流出することもできる。
【００４４】
図１１を参照するに、アプリケータ３０１の他の側面の斜視図が、導水管ガイド３３９の表面３４７を好適に示しめしている。湾曲傾斜路３７１が底部３４５上方に見受けられる。図１１で示される配置は、図１０の配置と組み合わせることによって、導水管３５７の終端を出た後に、濃縮液の流路を理解する手助けとなる。濃縮液は、表面３４７上を流れるように傾斜路３７１を流れ落ち、大きな頂上開口部３０５を介して上部リザーバ部分３０７へ流れ入る。フィッティング３４９の一般的な構成が、それ自体を包含し、且つ、あらゆる分散される濃縮液がフィッティング３４９と上部リザーバ部分３０７の上部表面３７３の間の空間に流入することを防止する構造であることを示している。更に、傾斜路３７１は、あらゆるタイプの新しい濃縮液で連続的に洗浄されることになり、一般的に清潔さが維持されるように操作される。洗浄水によって、傾斜路３７１を清潔に維持するために、アプリケータ３０３の各充填に於いて、傾斜路３７１の下方へと導くこととなる。
【００４５】
総量を計測するためのレベルマークが存在し、２ガロンレベルを表示するためのボリューム・マーク３７５と、１ガロンレベルを表示するためのボリューム・マーク３７７を含んでいる。更に、ボリューム・マークは、上部リザーバ部分３０７及び更に下方の延設されるベース・リザーバ部分３０９に必要に応じて設けられる。しかしながら、濃縮液コンテナ３０３からの手動ポンプ３５５の正確な定量供給能力及び濃縮液のより正確なレベルの測定が与えられれば、使用者は、アプリケータ３０３に収容される少量計測用具なしに正確に濃縮液を制御することが可能となる。
【００４６】
図１２を参照するに、重力型アプリケータ３０１から移動される一体型濃縮液コンテナ３０３の拡大図が示されている。一体型濃縮液コンテナ３０３が、上部リザーバ部分３０７の外側表面から分離する正面３８１を有するように示されている。上部表面３８３は、一体型濃縮液コンテナ３０３が、後方左から右側面へ緩やかに連続的に湾曲して延設される湾曲表面３８５を有する断面形状「D」を有していることを示している。
【００４７】
断面形状を有するこの湾曲後部部分によって、一体型濃縮液コンテナが、床部表面３９３、湾曲遷移表面３９５、及び、略垂直方向へ導く湾曲後部表面３９７を有する区分室３９１へ適合することを許容する。区分室３９１の頂上には、上部表面３７３の部分３９９が、ベース・カラー３５９の下方に位置する一対の表面と嵌合するように、薄い「U」字形状となっている。
【００４８】
一連の関係は一体型濃縮液コンテナ３０３を区画室３９１内部へと確実に運ぶのに活用される。これらは、例えば、エッジ４０１よりわずかに下方にあるフロア表面３９３を形成すること、若しくは部分３９９を調節することを含むことによる。その結果、例えば、下方に偏向させる機能を駆使することなどによって、コンテナ３０３を「はさむ」（trap）ために、フロア表面３９３と結合して機能する。
【００４９】
もう一つの機能もまた、図１２に示される。部材４０５は、凹部若しくは凸部である一体型濃縮液コンテナ３０３に見られる。部材４０５は、ほぼ垂直で湾曲後部表面３９７の内部において、部材４０７と相補的に接するよう位置される。部材４０７は、凹部又は凸部の部分と相対するものであり、部材４０５に適合し、維持される。適合関係は、スナップ、衝突部材、ラッチ、バネ、若しくは類似のもの、又はより更なる関係を築けるものである。
【００５０】
フロア３９３に隣接する延出に沿って、且つ、ほぼ垂直で湾曲後部表面３９７に隣接する両側上方に沿って、湾曲エッジ４０１が延設されているのが見られる。エッジの湾曲は、使用者が一体型濃縮液コンテナ３０３を把持する容易性の加減を調整することにより操作性を向上させる為に、鋭くも緩やかにもすることができる。Ｄ型湾曲表面３８５は、一体型濃縮液コンテナ３０３を区画室３９１へ迅速且つ容易に負荷することを可能とする為に、最も後部において短い半径の湾曲を有する。一体型濃縮液コンテナ３０３は、その方位に応じて、最初に底部の角度を動かすことで、若しくは最初に、部分３９９に関するベース・カラー３５９を位置決めすることによって、次に一体型濃縮液コンテナ３０３の底部を本来の場所に押すことによって、載置することができる。このような構成により、一体型濃縮液コンテナ３０３は垂直方向で載置される。一体型濃縮液コンテナ３０３の取り外しは、把持しながらベース・カラー３５９を外側方向に引くことにより、達成される。
【００５１】
一体型濃縮液コンテナ３０３の前面３８１には、容積測定の指標４１１が表示される。一体型濃縮コンテナ３０３の底部付近において、前面３８１は、外側の湾曲４１３、それに続いて、下側の湾曲４１５及びそれに誘導され前方に配置された垂直部分４１７を有する。しかしながら、本発明にかかる一体型濃縮液コンテナ３０３は、図１２に示された正確な形状に限られるものではない。一体型濃縮液コンテナ３０３は、場面場面に応じた、手動の補助装置を有する。
【００５２】
図１３を参照するに、一体型濃縮液コンテナ３０３の側面が示されている。該側面図には、ねじ４２３を有する上方に配されるネック部４２１を示す為、手動ポンプ３５５及びベース・カラー３５９は示されていない。
【００５３】
図１４を参照するに、一体型濃縮液コンテナ３０３の平面図が示されており、該平面図には開口部４２５を有するものとして上方に配されるネック部４２１が示されている。湾曲表面３８５は、上方に配されるネック部４２１付近には約１８０度の湾曲として見られる。平担部４２７及び平担部４２９への約１８０度の湾曲レベルは、図１４で初めて確認される。
【００５４】
図１５を参照するに、加圧可能なアプリケータの更なる実施例が一体型加圧可能アプリケータ５０１として示されている。アプリケータ５０１は一体型内部貯臓器（図１５に示さず）を有する本体部５０３と濃縮液コンテナ・システム５０５とからなる。濃縮液コンテナ・システム５０５は、濃縮液コンテナ５０７、ネック・ユニット５０９とポンプ・ユニット５１１を含む。ポンプ・ユニット５１１はカラー５１３、ポンプ・ヘッド５１５及び導水管５１７を含む。
【００５５】
カラー５１３及び本体部５０３の上方に位置するのは、取り外し可能な流域部５２１である。流域部５２１は、流域部５２１に備えられた導水管５１７の働きにより、ポンプ・ヘッド５１５上の下方向の動きを防止する。導水管５１７が入口、即ち、図１５の加圧ユニット５２３を有する処に向かった時のみ、ポンプ・ヘッド５１５は自由に差し下げることができるようになる。導水管５１７が直接、開口部を介して、一体型内部リザーバ（図１５に示さず）へと入らないときでさえ、分散された濃縮液はそのような開口部へ入り込み、流域部５２１により支持される。流域部５２１の上部エッジ５２５は、放射状且つブロック状に、導水管５１７を追う（tracks）。このとき、図１５に示される、加圧ユニット５２３を有する流域部５２１の内部の周辺領域のみではなく、放射軸の至るところを追う（tracks）。
【００５６】
上端エッジ５２５の半径は、プランジャ５２７と導水管チップ５２９との間における導水管５１５と噛み合うように調整される。上端エッジ５２５は、導水管５１７からの滴下物、即ち、中央開口部（図１５に示さず）へ向かう滴下物を捉えることが出来るよう、放射状に拡大された構造を有すべきである。この場合には、上端エッジ５２５の高さは、ポンプ・ヘッド５１５からの滴下物以外は入らないよう、高めに設計すべきである。比較例においては、ポンプ・ヘッド５１５の高さは、濃縮液の不適切な分散をさらに防止すべく、上端エッジ５２５と比較して、低めに設計される。流域部５２１の淵５２５は、図１５に見られるポンプ・ハンドル５２３の加圧ユニット５２３周辺部分に伸出した半径を有する。
【００５７】
ホース・コネクタ５３１は本体部５０３の一方に伸出して見られる。流域部５２１もまた、低部カラー５３３を有するものである。低部カラー５３３は、流域部５２１を部分的若しくは全体的に形成する。安全開放バルブ５３５が本体部５０３に見られる。
【００５８】
濃縮液ボトル５０７は、本体部５０３の下方領域から伸出する棚状伸出部５４１により、支持されていることが示される。示された構造は、その場において、濃縮液ボトル５０７を保持するのを助ける可能性を有している。本体部５０３の脚部若しくは安定した隆起部を定義する、窪み部５４３もまた、図示されている。
【００５９】
図１６を参照するに、一体型加圧可能アプリケータ５０１の部分的な分解組立図を示したものであり、濃縮液コンテナ・システム５０５内の一部を取り除いたものを指し示した図である。濃縮液コンテナ５０７は、一般に円筒形コンテナであり、該円筒形コンテナは、窪み部５５９上で、ねじ５５７で囲まれた上部開口部５５５を有するものである。
窪み部５５９から、円筒形の濃縮液コンテナ５０７が続き、湾曲した伝達部５６１を経て、平坦な低部５６３へと至る。淵５６５はランド部５５９の上端部に存する。ランド部５５９は、シーリング部材（図示せず）をはめ込むことができ、また濃縮液システムで、図示される。
【００６０】
シーリング部材としては、上部の淵に付着し、且つ、孔が空けられ剥ぎ取ることができるものであることが望ましい。以下に示すように、一体型加圧可能アプリケータ５０１は濃縮液コンテナ・システム５０５を活用する。濃縮液コンテナ・システム５０５は、使用者が濃縮液に触れるのを最小限にとどめ、且つ、こぼれる量も最小限とする。この構成から、被覆シールに孔が開くことは、濃縮液コンテナ・システム５０５一般の中心的役割により、起こりうるものである。
【００６１】
ネック・ユニット５０９は、そのすぐ下側に、濃縮液コンテナ５０７のねじ５５７と嵌合する一セットの内部ねじを有する。ネック・ユニット５０９は、ねじ５５７を有するランド部５６９へと延設する。ランド部５６９はその上端に開口部５７３を有する。ネック・ユニット５０９は、接合器として、濃縮液コンテナ５０７に作用する。そして、ネック・ユニット５０９は、異なる連結機能を有するポンプ・セットの異なる構成に順応する必要があるので異なるものとなる。代替的には、単一の固形コンテナが利用される。
【００６２】
ネック・ユニット５０９と濃縮液コンテナ５０７の右側には、ポンプ・セット５７５が存する。ポンプ・セット５７５は、カラー５１３の上方にあるボス５７７と、カラー５１３の下方にあるメイン・ハウジング５７９を含む。メイン・ハウジング５７９の下方には、尖った先端を形成すべく削られた低部末端５８３を有するピックアップ・チューブ５８１が存する。また、プランジャ５２７がボス５７７へと延設するという事実も認められる。
【００６３】
濃縮液コンテナ５０７が、本体部５０３の外側部分により形成された湾曲空間５８５へと適合するのが見られる。空間５８５は、濃縮液コンテナ５０７上の窪み（図示せず）を嵌合する突出部５８７を有する。湾曲空間５８５は、濃縮液コンテナ５０７と、上方に向かうボタン隆起部５９１との双方を支持する棚５８９に誘導する。そのことにより、濃縮液コンテナ５０７上の小さな窪み（図示せず）に適合する。突出部５８７と上方に向かうボタン隆起部５９１とを含むそれぞれの部材は、濃縮液コンテナ５０７の本体部へと直角に挿入させることにより、湾曲空間５８５から濃縮液コンテナ５０７の移動を制限する。
【００６４】
濃縮液コンテナ５０７の変更は、上方に向かうボタン隆起部５９１の有する高さよりも相対的に低い高さにもってくることにより、行われる。突出部５８７の接合点の位置がより高くなることにより、歪曲を取り外すことを減ずることができる。取り外しは、ポンプ・セット５７５を低位にもってくることにより行われ、それにより、導水管５１７は流域部５２１内の開口部（図に示さず）をきれいにすることができる。代替的には、カラーは、流域部５２１内部からポンプ・セット５７５を取り外す為に、ボス５７７を回すことにより、ねじ５７１から取り外されることができる。ポンプ・セット５７５の取り外し後、ネック・ユニット５０９を備えた空の濃縮液コンテナ５０１は、濃縮液コンテナ５０７の低部若しくは上端部のどちらか一方に衝撃を与えることにより、本体部５０３から取り外される。
【００６５】
図１７を参照するに、一体型加圧可能アプリケータ５０１の断面図を示したものである。加圧ユニット５２３については、その把持部形状の詳細が部分的にしか示されていない。通常、この加圧ユニット５２３は、ロック位置、若しくは一方向に移動する最大角での位置のどちらか一方から、加圧ユニット５２３の上端に見られる把持部を回転させることにより、本体部５０３のネック部５９７から取り外される。ロックされていない（若しくは、ねじ止めの場合であれば、ねじ止めされていない）位置において、リザーバ５９９へと圧力を送り込むため、把持部は、通常、自由に上げ下げできる。
【００６６】
図示されるように、ネック部５９７は、低部カラー５３３を取り付ける為の留め金を形成する。取り付けは、密封、ピンロック、接着剤、若しくはその他、適切な手法により行われる。これらの手法において、流域部５２１は取り外し可能となる。この構成によって示されるごとく、加圧ユニット５２３の開錠により、流域部５２１が開錠され、また、支持されることとなる。
【００６７】
低部カラー５３３の右側において、ポンプ・セット５７５のボス５７７が直接的に延伸されていることになる開口部６０１を有するよう、流域部５２１は見られる。ポンプ・ヘッド５１５の大きさにより、流域部５２１を配する本体部５０３から離れて、濃縮液コンテナ５０７を斜めに曲げることは可能である。そして、濃縮液コンテナ５０７からポンプ・セット５７５を断線することなく、プランジャ５２７が開口部５９１を介して下方へと通過させることを可能とする。これを行う為の性能及び望まれる性質は、ポンプ・ヘッド５１５全体の大きさのみでなく、開口部６０１周辺の部材の高さ及び半径にも依存する。さらに、開口部６０１周辺の部材は、流域部５２１に対して更なる支持を供給する為、ボス５７７若しくはカラー５１３の上端において嵌合するように調節する。
【００６８】
更に図を参照するに、濃縮液コンテナ５０７は、窪み部６０５へ挿入される凸部５８７により位置決めされる。同時に、上方に向かうボタン隆起部５９１が、濃縮液コンテナ５０７のボタン中央部及び略平坦なボタン５６３の中央部に配置される窪み部６０７へ隆起している。
【００６９】
図１７を参照するに、濃縮液コンテナ・システム５０５のより完全な分解図により、ネック・ユニット５０９に沿う幅広い口を有する濃縮液コンテナ５０７の柔軟な使用を示している。図示の如く、幅広い口を有する濃縮液コンテナ５０７は、密閉プラスチック又は、ホイル又は、他の薄い平面的な密閉部材６２１を有しており、この部材は、周囲にジグザク形を有するランド部５５９の上部縁５６５と嵌合する。ホイル部材６２１の上部には、選択することが可能な中央部に小さい孔部６２５を有する補強リング６２３が見受けられる。補強リング６２３は、ピックアップ・チューブ５８３からのあらゆる穴あけ力を集中させるために極めて有用である。穴あけ力を集中させることは、ホイル部材６２１の横方向の幅広い裂けを防止することができるとともに、ホイル部材６２１の周囲領域への伸張を防止することができる。このことによって、ある密閉がピックアップ・チューブ５８３の周囲に望まれている場合に於いて特に重要となる。補強リング６２３の中央部の小さい孔部６２５は、（１）穴あけ領域を集中させること、（２）穴あけ力を集中させること、（３）裂けを小さい領域に制限すること、及び（４）ピックアップ・チューブ５８３の周りにある密閉を提供することを行うことを可能とする。補強リング６２３は、この課題を達成するために可撓性物質で形成される。
【００７０】
ネック・ユニット５０９の上方には、小さい直径の密閉プラスチック又は、ホイル又は、薄い平面的な密閉部材６３１が見受けられる。物質の小さい領域が提供され且つ物質の選択に依存する場所に於いては、類似する小さい補強リング６２３が除去される。使用者は、濃縮液コンテナ５０７とネック・ユニット５０９が結合される容積を有するボトルを獲得する、又は、使用者は、ホイル部材６２１及び選択的な補強部材により特に密閉される単一の濃縮液コンテナ５０７を獲得することができる。
【００７１】
液体ボトルが提供される場合において、小さな開口部（５７３）を備える単一のボトルであることが望ましい。粉体或いは脱水された混合物が供給される場合において、濃縮液容器５０７は単独で提供されてもよい。このことは、水或いは他の流体が非溶解性粉体に供給された場合にも適用可能である。両方の場合において、システムは使用者、製造者及び濃縮物供給者に最大限の自在性をもたらす。
【００７２】
図１９は、重力型アプリケータ６５１の更なる実施形態を示している。該アプリケータはより中央かつ垂直方向に方向付けられた機構を備える。濃縮液容器６５３は、重力型アプリケータ６５１から分離している。濃縮液容器６５３は垂直方向に背が高く、多少の追加の収容容積を備え、該部分は他の寸法を備えている。
【００７３】
重力型アプリケータ３０１に示される床面３９３及び略垂直で湾曲した後面３９７は垂直軸に対して水平方向の凹部６５５を備えている。凹部６５５は床面を有していなくともよい。単一の突起部６５７は水平な凹部６５５の略中間位置上の点から延出している。そして突起部６５７は、破線で示されている濃縮液容器６５３の後部に現される穴部６５９と嵌合する。ベース・カラー下方の支持は別として、穴部６５９と突起部６５７の接合は濃縮液容器６５３の唯一の他の支持となる。濃縮液容器６５３は、重力型アプリケータ３０１の濃縮液容器３０３の位置よりも、より後方に位置するものとなる。このことは、使用者が濃縮液容器６５３の底部を直接触れることを可能とするとともに、重心をより中央付近に至らしめるという利点をもたらす。
【００７４】
突起部６５７は円筒形状で示されているが、これに限られるものではない。突起部６５７及び穴部６５９は上方に向かって傾斜し、濃縮液容器６５３をよりよく支持可能とするものであってもよい。更に、システムを支持する突起部６５７／穴部６５９は、他の構造と連結し、他の構造によって補足されてもよい。
【００７５】
加えて、一片の保持部と流れ方向構造６６１を備えてもよい。一片の保持部と流れ方向構造６６１は、湾曲部分６６３と閉流路型案内構造部６６５を備える。該案内構造部６６５は側部開口部６６７を有する。閉流路型案内構造部６６５は底部開口部（図示せず）を有し、好ましくは底部開口部にはスリーブ状の延出部を備える。該延出部は上面６７１に形成された対応する開口部を通り延出する。そして、案内構造部６６５は上面６７１に据付けられる。このことは、投与された濃縮液が直接上部リザーバ部３０７内部へ落下することを可能とし、無駄な表面を不要とする。該表面とは若干水平に配され、濃縮物と接触し、該濃縮物の流入を遅らせるようなものである。導水管３５７の開口部６６７への導入は、重力型アプリケータ３０１で示したものと同様に、若干の回転動作によって行われる。流れ方向構造６６１はより保護された構造を備え、不測の動作から保護するとともに、濃縮物の分離をも防ぐ。リベット６７５は流れ方向構造６６１を上面６７１に固定する。
【００７６】
図２０は、更にコンパクトなじょうろ口アセンブリ６８１を示している。じょうろ口アセンブリ６８１はハウジング６８３を備える。図２０において、じょうろ口アセンブリ６８１は取外され、カバー６８５が示されている。カバー６８５は側部にピン状の突起部６８７を備えている。カバー６８５がハウジング６８３内で回転され、覆い位置にされたとき、カバー６８５に形成された一連の孔部は雨状の流れをもたらす。円筒部３２３の壁の厚さは、カバー６８５が自由に開くように回転することを保証するのに十分なほど薄いことが好ましい。回転止めノッチがハウジング６５３に隣接して前方及び後方に配され、ピン状突起部６８７付近に配されることが好ましい。これにより、カバー６８５が開き位置に保たれることが可能となる。
【００７７】
図２１は、重力型アプリケータ７０１の側方から見た斜視図である。該アプリケータ７０１は更に追加の機構を備える。左方において、重力型アプリケータ７０１は埋設型じょうろ口アセンブリ７０３を備えている。該じょうろ口アセンブリ７０３は、スプリンクル・カバー６８５の更なる保護を備えている。一片の保持部と流れ方向構造７０５は首部補強部を備えている。首部補強部は部分的にボス７０７を囲み、ベース・カラー３５９と濃縮液容器７１１の嵌め合いを強化する。ボス７０７の基端部は楔形形状をしており、ベース・カラー３５９と濃縮液容器７１１の上部の間の隙間が、楔形状をしたボス７０７に占められ、濃縮液容器７１１との嵌合状態を向上させる。
【００７８】
図１に示されるような、濃縮液容器７１１はベース付近に形成された一対の楔形状の突起部７１３を備える。楔形状の突起部７１３は垂直軸方向に延びる水平方向の凹部６５５内部に形成された干渉構造の突起部（図２１には示さず）と噛合う。楔形状の突起部７１３は濃縮液容器７１１を固定し、適切な位置に保持することを容易にする。上述の如く、手動ポンプ３５５の導水管３５７は側部開口部６６７に案内され、濃縮液容器７１１が一片の保持部と流れ方向構造７０５上に搭載される。様々な変更形態が可能であるが、一組の容量支持マーク７１７が濃縮液容器７１１の側部に配されてもよい。
【００７９】
図２２には一片の保持部と流れ方向構造７０５の更なる変更形態が示されている。一片の保持部、縁部及び流れ方向構造７２１を一体的に組み合わせたものが分解図として示され、図２１においてこれらは重力型アプリケータ７０１上方に配されている。一片の保持部、縁部及び流れ方向構造７２１を組み合わせたものは、広い上部開口部３０５が望みどおりに仕上られていない場合や、上部開口部３０５が追加の安定性のために利用できるようにする必要がある場合に特に有利である。
【００８０】
一片の保持部、縁部及び流れ方向構造７２１は下方に方向付けられたフランジ７２３を備える。フランジは開口部３０５と嵌合する。フランジは一片の保持部、縁部及び流れ方向構造７２１を一体的に組み合わせたものを安定させ、位置合わせをするのに役立つ。開孔部７２５を含む一対の孔部は一体に組み合わされた一片の保持部、縁部及び流れ方向構造７２１上に現れる。該孔部はこれらを適切な位置に保持するために用いられる。フランジ７２３により安定性が付加されるので、必要とされる開孔部の数は低減される。一対の開孔部７２７は重力型アプリケータ７０１の上面６７１上に現れ、開孔部７２５と整列する。
【００８１】
図２２には、２つの垂直方向に延びる突起部７３１のうち１つが、垂直軸方向に延びる水平な凹部６５５の下方延設部内面に示されている。
【００８２】
図２３には、図２１の線２３−２３に沿った断面図が示され、埋設型じょうろ口アセンブリ７０３が示されている。じょうろ口アセンブリは１方向にのみ回転され、開くようにされている。カバー７４１は流水孔７４３を備え、干渉突起部７４５近傍を軸に回転可能に据付けられている。カバー７４１の回転軸の１つの側で、埋設型じょうろ口アセンブリ７０３の内側部分が湾曲面７５１を備え、カバー７４１は重力型アプリケータ７０１の主要本体部方向に向かって湾曲している。カバー７４１の回転軸の他の側において、埋設型じょうろ口アセンブリ７０３の内側部分は、止め縁部７５３を備え、該止め縁部７５３はカバー７４１の接触部分が重力型アプリケータ７０１の方向へ移動することを防ぐ。
【００８３】
１方向のみの動きを許容することで、狭い幾何公差が形成され、カバー７４１が開位置において容易に固定可能となる。干渉突起部７４５はカバー７４１を開位置に保つために用いられる。湾曲面７５１近傍のカバー７４１を押圧することによって、移動方向を指し示すようにカバー７４１に印を付けることが好ましい。更に、埋設型じょうろ口アセンブリ７０３のハウジングの突出した前方部分が、開位置にあるときにカバー７４１に対する追加の保護をなす。
【００８４】
シール材の可撓性は製造者及び使用者に新たな再利用の形態をもたらす。容器の使用を最大限化するように容器を標準化することによって、再利用は促される。再利用は、クリーニング、濃縮物の再充填及び再販売を含む。濃縮液容器システム５０５は異なる種類の濃縮物を識別するための色分けの使用を可能とする。
【００８５】
本発明は希釈物投与システムに対する簡便な濃縮物供給方法を用いて説明されてきたが、その原理は他の種のシステムにも適用可能である。
【００８６】
本発明は特定の実施形態に従って説明されてきたが、本発明の要旨から離れることなしに、多くの変更及び改良は容易になされ得る。本発明は、本発明の要旨内の全てのこのような変更・改良を含むものである。
【図面の簡単な説明】
【００８７】
【図１】重力操作アプリケータの上面図である。前記アプリケータはコンテナ収容空間を備えている。前記収容空間は、コンテナの形状と調和し、該コンテナは、投与機構を有し該投与機構は前記アプリケータの中央開口部付近に位置する。
【図２】図1において示した前記重力操作アプリケータの側面図であり、その操作ハンドル及び、第一コンテナの物理的位置の更なる縦の詳細、及びポンプアプリケータの方向、及び延出導水管を示す。
【図３】図２の線３に沿って選択された図であり、回転軸を有して取り付けられた流体散布器構造の全体的な動作を示す。
【図４】図３の線４−４からみた図であり、流体チュウブを覆う位置からそれが乗せられる位置における流体散布器を示す。
【図５】２つのコンテナ配列の上面図であり、該コンテナは、加圧可能なアプリケータコンテナの周りに位置する。
【図６】一体化された濃縮化学薬品、或いは栄養剤コンテナを有した、更に特別な加圧可能なアプリケータコンテナであり、該加圧可能なアプリケータコンテナは特に化学的混合、或いは特別な調製計量が必要な場所において役立つ。
【図７】図６において示された前記更に特別な加圧可能なアプリケータコンテナの側面図である。
【図８】一体型の濃縮液リザーバがメイン圧力チャンバへの入口部より高く位置づけられた更なる実施例を示す。
【図９】図８の実施例の上面図であり、物質の流動経路を示す。
【図１０】一体型の濃縮液コンテナが備わった重力型アプリケータの第２実施例の左後部斜視図である。
【図１１】図１０で示した重力型アプリケータの第２実施例の右後部斜視図である。
【図１２】図９及び、図１０で示した重力型アプリケータの第２実施例の部分図であり、図１０における斜視図と類似している。しかし、一体型の濃縮液コンテナと前記アプリケータは離された状態で示される。
【図１３】図１０〜１２で示した一体型の濃縮液コンテナの側面図である。
【図１４】図１０〜１３で示した一体型の濃縮液コンテナの上部からみた図である。
【図１５】更に特別な加圧可能なアプリケータコンテナの他の実施例における斜視図であり、該更に特別な加圧可能なアプリケータコンテナは、一体化して積載可能濃縮化学薬品或は栄養剤コンテナ上に、搭載された上部流出防止システムを有している。
【図１６】濃縮システムからアプリケータを切り離した分解図であり、該アプリケータは、円筒状コンテナ、上部アダプタ及びポンプアセンブリを有する。
【図１７】図１５及び１６のアプリケータの断面図である。
【図１８】円筒状形状の濃縮液供給コンテナシステムの分解図である。
【図１９】さらに重力型アプリケータの他の実施例の斜視図であり、該重力型アプリケータは、一体型の濃縮液コンテナを有し、該一体型の濃縮液コンテナは、前記重力型アプリケータと切り離した状態で示される。
【図２０】じょうろ口の部分図である。
【図２１】重力型アプリケータの他の実施例であり、該重力型アプリケータは上部改良型補強部材及び傾斜型濃縮液ボトル保持機構を有している。
【図２２】重力型アプリケータの斜視図であり、該重力型アプリケータは、上部改良型補強部材を有しており、該上部改良型補強部材は、上部開口部の内側に合わさるように、下方に向かうフランジを有している。
【図２３】図２１の線２３−２３に沿った断面図であり、図２１及び２２で示した埋設型状態のスプリンクル・スクリーン・アセンブリの内側の詳細を示す。
【図１】
2005523010.tif 000003
【図５】
2005523010.tif 000004
【図３】
2005523010.tif 000005
【図４】
2005523010.tif 000006
【図６】
2005523010.tif 000007
【図７】
2005523010.tif 000008
【図８】
2005523010.tif 000009
【図９】
2005523010.tif 000010
【図２】
2005523010.tif 000011
【図１０】
2005523010.tif 000012
【図１１】
2005523010.tif 000013
【図１２】
2005523010.tif 000014
【図１３】
2005523010.tif 000015
【図１４】
2005523010.tif 000016
【図１５】
2005523010.tif 000017
【図１６】
2005523010.tif 000018
【図１７】
2005523010.tif 000019
【図１８】
2005523010.tif 000020
【図１９】
2005523010.tif 000021
【図２０】
2005523010.tif 000022
【図２１】
2005523010.tif 000023
【図２２】
2005523010.tif 000024
【図２３】
2005523010.tif 000025
【国際調査報告】
2005523010.tif 000026